(57)【特許請求の範囲】
【請求項１】
バッテリーモジュールであって、
第一バッテリーセルアセンブリーと、及び第二バッテリーセルアセンブリーとを備えてなるものであり、
第一バッテリーセルアセンブリーが、その上に、第一アライメント-連結手段、第二アライメント-連結手段、第三アライメント-連結手段及び第四アライメント-連結手段を少なくとも有してなるものであり、
第二バッテリーセルアセンブリーが、その上に、第五アライメント-連結手段、第六アライメント-連結手段、第七アライメント-連結手段及び第八アライメント-連結手段を少なくとも有してなるものであり、
前記第二バッテリーセルアセンブリーの前記第五アライメント-連結手段、第六アライメント-連結手段、第七アライメント-連結手段、及び第八アライメント-連結手段が、前記第一バッテリーセルアセンブリーの前記第一アライメント-連結手段、第二アライメント-連結手段、第三アライメント-連結手段及び第四アライメント-連結手段とそれぞれ係合し、前記第二バッテリーセルアセンブリーを前記第一バッテリーセルアセンブリーに連結し、前記第二バッテリーセルアセンブリーを前記第一バッテリーセルアセンブリーに対して整列させるように構築されてなり、
前記第一バッテリーセルアセンブリーが、
第一側部及び第二側部を有する第一矩形リング形状フレーム部材と、
第一側部及び第二側部を有する第一バッテリーセルと、
第一側部及び第二側部を有する第二バッテリーセルと、及び
第一側部及び第二側部を有する第二矩形リング形状フレーム部材とを備えてなり、
前記第一矩形リング形状フレーム部材の前記第二側部が、その上に少なくとも第九アライメント-連結手段、第十アライメント-連結手段、第十一アライメント-連結手段、及び第十二アライメント-連結手段を有してなり、
前記第一バッテリーセルの前記第一側部が、前記第一矩形リング形状フレーム部材の前記第二側部の少なくとも一部と接触してなり、
前記第二バッテリーセルの前記第一側部が、前記第一バッテリーセルの前記第二側部と接触してなり、
前記第二矩形リング形状フレーム部材の前記第一側部が、その上に少なくとも第十三アライメント-連結手段、第十四アライメント-連結手段、第十五アライメント-連結手段、及び第十六アライメント-連結手段を有してなり、
前記第二矩形リング形状フレーム部材の前記第十三アライメント-連結手段、第十四アライメント-連結手段、第十五アライメント-連結手段、及び第十六アライメント-連結手段が、前記第一矩形リング形状フレーム部材の前記第九アライメント-連結手段、第十アライメント-連結手段、第十一アライメント-連結手段、及び第十二アライメント-連結手段とそれぞれ係合し、前記第二矩形リング形状フレーム部材を前記第一矩形リング形状フレーム部材に連結し、前記第二矩形リング形状フレーム部材を前記第一矩形リング形状フレーム部材に対して整列されるように構築されてなる、バッテリーモジュール。
【請求項２】
前記第一バッテリーセルアセンブリーの前記第一アライメント-連結手段、第二アライメント-連結手段、第三アライメント-連結手段及び第四アライメント-連結手段が、互いに異なった形状を有する、請求項１に記載のバッテリーモジュール。
【請求項３】
前記第一矩形リング形状フレーム部材の前記第二側部上の前記第九アライメント-連結手段、第十アライメント-連結手段、第十一アライメント-連結手段及び第十二アライメント-連結手段が、互いに異なった形状を有してなる、請求項１に記載のバッテリーセルアセンブリー。
【請求項４】
前記第一矩形リング形状フレーム部材の前記第一側部が、その上に第一アライメント-連結手段、第二アライメント-連結手段、第三アライメント-連結手段及び第四アライメント-連結手段を有してなり、
前記第一アライメント-連結手段、第二アライメント-連結手段、第三アライメント-連結手段及び第四アライメント-連結手段が、前記第一矩形リング形状フレーム部材の前記第二側部上の前記第九アライメント-連結手段、第十アライメント-連結手段、第十一アライメント-連結手段、及び第十二アライメント-連結手段と比較して、異なった形状を有してなるものである、請求項１に記載のバッテリーセルアセンブリー。
【請求項５】
前記第二矩形リング形状フレーム部材の前記第二側部が、その上に第十七アライメント-連結手段、第十八アライメント-連結手段、第十九アライメント-連結手段及び第二十アライメント-連結手段を有してなる、請求項１に記載のバッテリーセルアセンブリー。
【請求項６】
第一側部及び第二側部を有する熱交換機と、
第一側部及び第二側部を有する第三バッテリーセルと、及び
第一側部及び第二側部を有する第三矩形リング形状フレーム部材とをさらに備えてなり、
前記熱交換機の前記第一側部が、前記第二バッテリーセルの前記第二側部及び前記第二矩形リング形状フレーム部材の前記第二側部の両方に接触してなり、
前記第三バッテリーセルの前記第一側部が、前記熱交換機の前記第二側部に接触してなり、
前記熱交換機が、前記第一バッテリーセル、第二バッテリーセル、及び第三バッテリーセルから熱エネルギーを除去し、前記第一バッテリーセル、第二バッテリーセル、及び第三バッテリーセルを実質的に望ましい温度に維持するように構築されてなり、
前記第三矩形リング形状フレーム部材の前記第一側部が、その上に少なくとも第二十一アライメント-連結手段、第二十二アライメント-連結手段、第二十三アライメント-連結手段、及び第二十四アライメント-連結手段を有してなり、
前記第三矩形リング形状フレーム部材の前記第二十一アライメント-連結手段、第二十二アライメント-連結手段、第二十三アライメント-連結手段、及び第二十四アライメント-連結手段が、前記第二矩形リング形状フレーム部材の前記第十七アライメント-連結手段、第十八アライメント-連結手段、第十九アライメント-連結手段及び第二十アライメント-連結手段とそれぞれ係合し、
前記第三矩形リング形状フレーム部材を前記第二矩形リング形状フレーム部材と連結し、前記第三矩形リング形状フレーム部材を前記第二矩形リング形状フレーム部材に対して整列させてなる、請求項５に記載のバッテリーセルアセンブリー。
【発明の詳細な説明】
【技術分野】
【０００１】
本願は、一般的にはアライメント-連結手段（alignment-coupling：整列、配列、配置又は調整-連結（結合））を含むバッテリーセルアセンブリーを有するバッテリーモジュールに関する。
【発明の背景】
【０００２】
バッテリーパックは、一般的に複数のバッテリーセルを有する。しかし、製造の際に、バッテリーセルをハウジング内で整列させることは比較的困難であり、時間を浪費する。
【０００３】
そのため、本発明者らは、上記の欠点を最少に抑える、及び/または排除する改良されたバッテリーモジュールの必要性を認めている。
【発明の概要】
【０００４】
代表的な実施態様によるバッテリーモジュールを提供する。バッテリーモジュールは、少なくとも第一、第二、第三及び第四アライメント-連結手段を上に有する第一バッテリーセルアセンブリーを包含する。バッテリーモジュールは、少なくとも第五、第六、第七、及び第八アライメント-連結手段を上に有する第二バッテリーセルアセンブリーをさらに包含する。該第二バッテリーセルアセンブリーの該第五、第六、第七、及び第八アライメント-連結手段は、該第一バッテリーセルアセンブリーの該第一、第二、第三及び第四アライメント-連結手段とそれぞれ係合（嵌合、噛み合い）し、該第二バッテリーセルアセンブリーを該第一バッテリーセルアセンブリーに連結し、該第二バッテリーセルアセンブリーを該第一バッテリーセルアセンブリーに対して整列させるように形成されている。
【図面の簡単な説明】
【０００５】
【図１】図1は、代表的な実施態様によるバッテリーモジュールを図式的に示す図である。
【図２】図2は、図1に示すバッテリーモジュールの一部を図式的に示す分解組立図である。
【図３】図3は、図2に示すバッテリーモジュールに使用する、バッテリーセルアセンブリーを図式的に示す分解組立図である。
【図４】図4は、図3に示すバッテリーセルアセンブリーを図式的に示す別の図である。
【図５】図5は、図3に示すバッテリーセルアセンブリーを図式的に示す別の図である。
【図６】図6は、図3に示すバッテリーセルアセンブリーの最上部を図式的に示す断面図である。
【図７】図7は、図3に示すバッテリーセルアセンブリーの底部を図式的に示す断面図である。
【図８】図8は、図3に示すバッテリーセルアセンブリーに使用する第一矩形リング形状フレーム部材の第一側部を図式的に示す図である。
【図９】図9は、図8に示す第一矩形リング形状フレーム部材の第一側部の底部を図式的に示す図である。
【図１０】図10は、図8に示す第一矩形リング形状フレーム部材の第一側部の最上部を図式的に示す図である。
【図１１】図11は、図8に示す第一矩形リング形状フレーム部材の第二側部を図式的に示す図である。
【図１２】図12は、図11に示す第一矩形リング形状フレーム部材の第二側部の底部を図式的に示す図である。
【図１３】図13は、図11に示す第一矩形リング形状フレーム部材の第二側部の最上部を図式的に示す図である。
【図１４】図14は、図3のバッテリーセルアセンブリーに使用する第一バッテリーセルの第一側部を図式的に示す図である。
【図１５】図15は、図14に示す第一バッテリーセルの第二側部を図式的に示す図である。
【図１６】図16は、図3のバッテリーセルアセンブリーに使用する第一固定リング形状部材の第一側部を図式的に示す図である。
【図１７】図17は、図16の第一固定リング形状部材の第二側部を図式的に示す図である。
【図１８】図18は、図3のバッテリーセルアセンブリーに使用する第二矩形リング形状フレーム部材の第一側部を図式的に示す図である。
【図１９】図19は、図18に示す第二矩形リング形状フレーム部材の第一側部の底部を図式的に示す図である。
【図２０】図20は、図18に示す第二矩形リング形状フレーム部材の第一側部の最上部を図式的に示す図である。
【図２１】図21は、図18に示す第二矩形リング形状フレーム部材の第二側部を図式的に示す図である。
【図２２】図22は、図21に示す第二矩形リング形状フレーム部材の第二側部の底部を図式的に示す図である。
【図２３】図23は、図21に示す第二矩形リング形状フレーム部材の第二側部の最上部を図式的に示す図である。
【図２４】図24は、図3に示すバッテリーセルアセンブリーに使用する熱交換機の第一側部を図式的に示す図である。
【図２５】図25は、図24に示す熱交換機の第二側部を図式的に示す図である。
【図２６】図26は、図24に示す熱交換機の断面を図式的に示す図である。
【図２７】図27は、図3のバッテリーセルアセンブリーに使用する第二固定リング形状部材の第一側部を図式的に示す図である。
【図２８】図28は、図27の第二固定リング形状部材の第二側部を図式的に示す図である。
【図２９】図29は、図3のバッテリーセルアセンブリーに使用する第三矩形リング形状フレーム部材の第一側部を図式的に示す図である。
【図３０】図30は、図29に示す第三矩形リング形状フレーム部材の第一側部の底部を図式的に示す図である。
【図３１】図31は、図29に示す第三矩形リング形状フレーム部材の第一側部の最上部を図式的に示す図である。
【図３２】図32は、図29に示す第三矩形リング形状フレーム部材の第二側部を図式的に示す図である。
【図３３】図33は、図32に示す第三矩形リング形状フレーム部材の第二側部の底部を図式的に示す図である。
【図３４】図34は、図21に示す第三矩形リング形状フレーム部材の第二側部の最上部を図式的に示す図である。
【図３５】図35は、図2のバッテリーモジュールに使用する別のバッテリーセルアセンブリーを図式的に示す図である。
【図３６】図36は、図1のバッテリーモジュールに使用する冷却マニホルドを図式的に示す図である。
【代表的な実施態様の詳細な説明】
【０００６】
図1及び2に関して、電力を供給するためのバッテリーモジュール20を示す。バッテリーモジュール20は、バッテリーセルアセンブリー30、32、34、36、38、40、42、44、熱交換機50、52、54、56、側板60、62、64、66、連結板70、72、相互接続アセンブリー74、カバー76、及び冷却マニホルド78、80を包含する。バッテリーセルアセンブリーは、バッテリーセルを中に有するハウジングとして限定される。バッテリーモジュールは、一つに連結された少なくとも2個のバッテリーセルアセンブリーとして限定される。
【０００７】
バッテリーセルアセンブリー30、32、34、36、38、40、42、44は、相互接続アセンブリー74を使用して一つに連結されている。特に、相互接続アセンブリー74は、バッテリーセルアセンブリーから来る電気端子を所望の配置で電気的に連結し、バッテリーセルアセンブリーから電流及び電圧を供給する。
【０００８】
熱交換機50、52、54、56は、流体を冷却マニホルド78から受け取り、バッテリーセルアセンブリーを冷却する。熱交換機50、52、54、56から来る加熱された流体は、冷却マニホルド80により受け取られる。
【０００９】
側板60、62、64、66は、バッテリーセルアセンブリーに連結され、バッテリーセルアセンブリーをさらに支持する。連結板70、72は、側板64、66と噛み合わせ、バッテリーセルアセンブリーをさらに支持するために設けてある。カバープレート76は、相互接続アセンブリー74を覆うように備えられている。
【００１０】
図3、4、5、6及び7に関して、バッテリーモジュール20で使用する、代表的な実施態様によるバッテリーセルアセンブリー32を説明する。バッテリーセルアセンブリー32は、矩形リング形状フレーム部材90、バッテリーセル92、固定(securement)リング形状部材94、バッテリーセル96、矩形リング形状フレーム部材98、熱交換機100、固定リング形状部材102、バッテリーセル104、及び矩形リング形状フレーム部材106を包含する。バッテリーセルアセンブリー32の利点は、アセンブリー32が、単一の熱交換機100がバッテリーセル92、96、104を冷却し、バッテリーセルを所望の温度に維持できるように、まとめられていることである。さらに、矩形リング形状フレーム部材90、98、106は、フレーム部材90、98、106相互の不正確な整列及び配置を阻止しながら、容易にフレーム部材90、98、106を一つに連結するためのアライメント-連結手段を有する。
【００１１】
図3、8、9、10及び11に関して、矩形リング形状フレーム部材90は、矩形リング形状フレーム部材98と連結され、バッテリーセル92、固定リング形状部材94、及びバッテリーセル96をそれらの間に保持するように形成されている。矩形リング形状フレーム部材90は、側部110及び対向側部112を包含する。さらに、代表的な実施態様では、フレーム部材90は、側壁114、116、下側壁118、及び上側壁120を包含する。側壁114、116は、互いに離れて、及び互いに対して実質的に平行に配置されている。下側壁118は、側壁114、116の間に伸びている。さらに、上側壁120は、側壁114、116の間に伸びている。側壁114、116、下側壁118、及び上側壁120は、それらの間に開放区域122を限定する。
【００１２】
図3、8、9及び10に関して、側部110上の矩形リング形状フレーム部材90の特徴をここで考察する。下側壁118は、下側壁118の対向する末端に配置されたアライメント-連結手段130、132を包含する。さらに、上側壁120は、上側壁120の対向する末端に配置されたアライメント-連結手段134、136を包含する。アライメント-連結手段130、132、134、136は、図2に示すバッテリーセルアセンブリー30上の特殊なアライメント-連結手段と連結し、整列するように形成されている。さらに、側壁114、116、下側壁118、及び上側壁120は、突起部分139を限定する。さらに、側壁114、116は、図2に示す熱交換機50の入口及び出口の一部をそれぞれ受け入れるための水平溝137、138を有する。
【００１３】
図3、11、12及び13に関して、側部112上の矩形リング形状フレーム部材90の特徴をここで考察する。下側壁118は、下側壁118の対向する末端に配置されたアライメント-連結手段140、142を包含する。さらに、上側壁120は、上側壁120の対向する末端に配置されたアライメント-連結手段144、146を包含する。アライメント-連結手段140、142、144、146は、図18に示すバッテリーセルアセンブリー98上のアライメント-連結手段232、230、236、234と連結し、整列するように形成されている。さらに、側壁114、116、下側壁118、及び上側壁120は、バッテリーセル92の一部を中に受け入れるための突起部分150を限定する。最後に、図11及び18に関して、フレーム部材98の側部112は、フレーム部材98の、側方連結標識「Ｂ」を有する側部200に連結すべき側部112を示す側方連結標識「Ｂ」を包含する。
【００１４】
図3、14及び15に関して、バッテリーセル92は、電気端子164、166間に作動電圧を出力するように備えられている。バッテリーセル92は、本体部分160及び本体部分160の周りに伸びる周辺リップ部分162、及び本体部分160から伸びる電気端子164、166を包含する。バッテリーセル92は、一般的に矩形であり、側部156及び側部156に対向する側部158を包含する。代表的な一実施態様では、バッテリーセル92は、リチウムバッテリーセルである。無論、別の実施態様では、バッテリーセル92は、当業者には公知の他の種類のバッテリーセルを備えてなることもできる。周辺リップ部分162のサイズは、矩形リング形状フレーム部材90のサイズより小さいので、フレーム部材90が、バッテリーセル92の周辺リップ部分162を覆う。図6及び7に関して、バッテリーセル92は、フレーム部材90と固定リング形状部材94の一部とバッテリーセル96の間に配置される。
【００１５】
図3、16及び17に関して、固定リング形状部材94は、バッテリーセル92、96を、矩形リング形状フレーム部材90、98の間にさらに固定するために備えられている。固定リング形状部材94は、側部180及び対向側部182を包含する。さらに、固定リング形状部材94は、互いに離れて、互いに実質的に平行に配置された側壁186、188を包含する。さらに、固定リング形状部材94は、側壁186、188間に伸びる上側壁190及び下側壁192を包含する。側壁186、188、上側壁190及び下側壁192は、それらの間に開放区域193を限定する。固定リング形状部材94の外側周辺サイズは、矩形リング形状フレーム部材90の外側周辺サイズより小さく、矩形リング形状フレーム部材98の外側周辺サイズより小さい。図6及び7に関して、固定リング形状部材94は、バッテリーセル92、96の周辺リップ部分間に配置され、バッテリーセル92、96をさらに支持する。
【００１６】
図3及び6に関して、バッテリーセル96は、矩形リング形状フレーム部材98と、バッテリーセル92の一部及び固定リング形状部材94の両方との間に配置する。バッテリーセル96の構造は、バッテリーセル92と実質的に類似している。
【００１７】
図3、18、19、20及び21に関して、矩形リング形状フレーム部材98は、矩形リング形状フレーム部材90と連結し、それらの間にバッテリーセル92、固定リング形状部材94、及びバッテリーセル96を保持するように形成されている。さらに、矩形リング形状フレーム部材98は、矩形リング形状フレーム部材106と連結し、それらの間に熱交換機100、固定リング形状部材102、及びバッテリーセル104を保持するために備えられている。矩形リング形状フレーム部材98は、側部200及び対向側部202を包含する。さらに、代表的な実施態様では、フレーム部材98は、側壁214、216、下側壁218、及び上側壁220を包含する。側壁214、216は、互いに離れて、及び互いに対して実質的に平行に配置されている。下側壁218は、側壁214、216の間に伸びている。さらに、上側壁220は、側壁214、216の間に伸びている。側壁214、216、下側壁218、及び上側壁220は、それらの間に開放区域222を限定する。
【００１８】
図3、18、19及び20に関して、側部200上の矩形リング形状フレーム部材98の特徴をここで考察する。下側壁218は、下側壁218の対向する末端に配置されたアライメント-連結手段230、232を包含する。さらに、上側壁220は、上側壁220の対向する末端に配置されたアライメント-連結手段234、236を包含する。アライメント-連結手段230、232、234、236は、図11に示す矩形リング形状フレーム部材90の側部112のアライメント-連結手段142、140、146、144とそれぞれ連結し、整列するように形成されている。さらに、側壁214、216、下側壁218、及び上側壁220は、突起部分238を限定する。最後に、図18及び11に関して、フレーム部材98の側部200は、フレーム部材90の、側方連結標識「Ｂ」を有する側部112に連結すべき側部200を示す側方連結標識「Ｂ」を包含する。
【００１９】
図3、21、22及び23に関して、側部202上の矩形リング形状フレーム部材98の特徴をここで考察する。下側壁218は、下側壁218の対向する末端に配置されたアライメント-連結手段240、242を包含する。さらに、上側壁220は、上側壁220の対向する末端に配置されたアライメント-連結手段244、246を包含する。アライメント-連結手段240、242、244、246は、図29に示すバッテリーセルアセンブリー106上のアライメント-連結手段432、430、436、434とそれぞれ連結し、整列するように形成されている。さらに、側壁214、216、下側壁218、及び上側壁220は、熱交換機100の一部をその上に受け入れるための突起部分250を限定する。さらに、側壁114、116は、熱交換機100の出口及び入口の一部をそれぞれ受け入れるための水平溝247、248を有する。最後に、図21及び29に関して、フレーム部材98の側部202は、フレーム部材106の、側方連結標識「Ａ」を有する側部400に連結すべき側部202を示す側方連結標識「Ａ」を包含する。
【００２０】
図3、6、7、24及び25に関して、熱交換機100は、バッテリーセル92、96及び104を冷却し、バッテリーセルを所望の温度に維持するように形成される。熱交換機100は、(i)バッテリーセル96の一部及び矩形リング形状フレーム部材98と、(ii)バッテリーセル104の一部及び固定リング形状部材102との間に配置される。熱交換機100は、側部256及び対向側部258を包含する。熱交換機100は、ハウジング260、入口262、及び出口264をさらに包含する。ハウジング260は、入口262から出口264に伸びる流路266を限定する。操作の際、冷却マニホルド78から来る流体が入口262を通り、熱交換機100の中に流れ込む。その後、流体は流路266を通り、出口264に流れる。流路266を通って流れる間に、流体は熱エネルギーをバッテリーセル92、96、104から吸収し、バッテリーセルを冷却する。加熱された流体は、出口264から冷却マニホルド80に流れる。
【００２１】
図3、27及び28に関して、固定リング形状部材102は、熱交換機100及びバッテリーセル104を、矩形リング形状フレーム部材90、106の間にさらに固定するために設けられる。固定リング形状部材102は、側部280及び対向側部282を包含する。さらに、固定リング形状部材102は、互いに離れて、実質的に互いに平行に配置された側壁286、288を包含する。さらに、固定リング形状部材102は、側壁286、288間に伸びる上側壁290及び下側壁292を包含する。側壁286、288、上側壁290及び下側壁292は、それらの間に開放区域293を限定する。側部280上の側壁286、288は、熱交換機100の入口262及び出口264をそれぞれ受け入れるための溝300、302をそれぞれ包含する。固定リング形状部材102の外側周辺サイズは、矩形リング形状フレーム部材98の外側周辺サイズより小さく、矩形リング形状フレーム部材106の外側周辺サイズより小さい。図6及び7に関して、固定リング形状部材102は、矩形リング形状フレーム部材98と、バッテリーセル104の周辺リップ部分との間に配置される。
【００２２】
図3及び6に関して、バッテリーセル104は、矩形リング形状フレーム部材106と、熱交換機100の一部及び固定リング形状部材102の両方との間に配置する。バッテリーセル104の構造は、バッテリーセル92と実質的に類似している。
【００２３】
図3、29、30、31及び32に関して、矩形リング形状フレーム部材106は、矩形リング形状フレーム部材98と連結し、それらの間に熱交換機100、固定リング形状部材102、及びバッテリーセル104を保持するように形成されている。さらに、矩形リング形状フレーム部材106は、以下により詳細に説明するように、図35に示すバッテリーセルアセンブリー34を連結するために備えられている。矩形リング形状フレーム部材106は、側部400及び対向側部402を包含する。さらに、代表的な実施態様では、フレーム部材106は、側壁414、416、下側壁418、及び上側壁420を包含する。側壁414、416は、互いに離れて、及び互いに対して実質的に平行に配置されている。下側壁418は、側壁414、416の間に伸びている。さらに、上側壁420は、側壁414、416の間に伸びている。側壁414、416、下側壁418、及び上側壁420は、それらの間に開放区域422を限定する。さらに、側壁414、416、下側壁418、及び上側壁420は、突起部分238を限定する。
【００２４】
図3、29、30及び31に関して、側部400上の矩形リング形状フレーム部材106の特徴をここで考察する。下側壁418は、下側壁418の対向する末端に配置されたアライメント-連結手段430、432を包含する。さらに、上側壁420は、上側壁420の対向する末端に配置されたアライメント-連結手段434、436を包含する。アライメント-連結手段430、432、434、436は、図21に示す矩形リング形状フレーム部材98の側部202上のアライメント-連結手段242、240、246、244とそれぞれ連結し、整列するように形成されている。さらに、側壁414、416、下側壁418、及び上側壁420は、突起部分439を限定する。最後に、図21及び29に関して、フレーム部材106の側部400は、フレーム部材98の、側方連結標識「Ａ」を有する側部202に連結すべき側部400を示す側方連結標識「Ａ」を包含する。
【００２５】
図3、32、33及び34に関して、側部402上の矩形リング形状フレーム部材106の特徴をここで考察する。下側壁418は、下側壁418の対向する末端に配置されたアライメント-連結手段440、442を包含する。さらに、上側壁420は、上側壁420の対向する末端に配置されたアライメント-連結手段444、446を包含する。アライメント-連結手段440、442、444、446は、図34に示すバッテリーセルアセンブリー34上のアライメント-連結手段532、530、536、534とそれぞれ連結し、整列するように形成されている。さらに、最後に、図32及び35に関して、フレーム部材106の側部402は、フレーム部材450の、側方連結標識「Ｃ」を有する側部に連結すべき側部402を示す側方連結標識「Ｃ」を包含する。
【００２６】
図3に関して、各矩形リング形状フレーム部材90、98、106上のアライメント-連結手段は、各矩形リング形状フレーム部材90、98、106の特定側部だけが、他の矩形リング形状フレーム部材90、98、106の一つの、別の特定側部と整列し、連結し得るように互いに異なった構造を有することに注意すべきである。
【００２７】
図2及び35に関して、バッテリーセルアセンブリー34は、バッテリーモジュール20中のバッテリーセルアセンブリー32と連結するように形成されている。バッテリーセルアセンブリー34は、矩形リング形状フレーム部材450、452、454を包含する。さらに、バッテリーセルアセンブリー34は、2個のバッテリーセル、2個の固定フレーム部材及びフレーム部材450、452、454中に収容された熱交換機を包含する。矩形リング形状フレーム部材450は、側壁514、516、下側壁518、及び上側壁520を包含する。側壁514、516は、互いに離れて、及び互いに実質的に平行に配置されている。下側壁518は、側壁514、516の間に伸びている。さらに、上側壁520は、側壁514、516の間に伸びている。側壁514、516、下側壁518、及び上側壁520は、それらの間に開放区域を限定する。下側壁518は、下側壁518の対向する末端上に配置されたアライメント-連結手段530、532を包含する。さらに、上側壁520は、上側壁520の対向する末端上に配置されたアライメント-連結手段534、536を包含する。アライメント-連結手段530、532、534、536は、図32に示すように、矩形リング形状フレーム部材106の側部402上で、アライメント-連結手段442、440、446、444とそれぞれ連結し、整列するように形成されている。
【００２８】
図1及び36に関して、冷却マニホルド78をさらに詳細に説明する。特に、冷却マニホルド78は、流体を熱交換機50、52、54、56上の入口に、及びバッテリーセルアセンブリー30、32、34、36、40、42、44中の熱交換機に導くように形成されている。冷却マニホルド78は、管状部材600、入口602、及び出口604、606、608、610、612、614、616、618、620、622、624、626、628、630、632を包含する。入口602は、流体貯蔵部から流体を受け取り、管状部材600の中に送るために設けてある。管状部材600は、流体を、出口604、606、608、610、612、614、616、618、620、622、624、626、628、630、632を通して、バッテリーモジュール20中の熱交換機のそれぞれの入口に導く。冷却マニホルド78は、ゴムまたはゴムコンパウンドから構築することができる。無論、別の実施態様では、冷却マニホルド78は、他の材料、例えばプラスチック、金属、またはセラミックから構築することもできる。冷却マニホルド80は、冷却マニホルド78と実質的に同じ構造を有することができる。冷却マニホルド80は、バッテリーモジュール20中の熱交換機の出口から加熱された流体を受け取り、その加熱された流体を流体貯蔵部に送るように形成されている。
【００２９】
バッテリーモジュール20は、他のバッテリーよりも非常に大きな利点を与えるバッテリーセルアセンブリーを有する。特に、このバッテリーセルアセンブリーは、バッテリーセルアセンブリーのフレーム部材同士を、フレーム部材相互の誤った整列及び配置を阻止しながら、容易に連結できる技術的効果を与える。
【００３０】
本発明を代表的な実施態様に関して説明したが、当業者には明らかなように、本発明の範囲から離れることなく、様々な変形を行うことができ、等価物をその要素に置き換えることができる。さらに、本発明の実質的な範囲から離れることなく、多くの修正を行い、特別な状況または材料を本発明の開示に適合させることができる。従って、本発明は、本発明を説明するために開示した特別な実施態様に限定されるものではなく、本発明は、付随する請求項の範囲内に入る全ての実施態様を包含する。その上、第一、第二、等の用語は、ある要素を別の要素から区別するために使用している。さらに、ある、一つの、等の用語は、量の制限を意味するものではなく、関連する事項の少なくとも一個が存在することを意味している。
【図１】
0005420652.tif 000002
【図２】
0005420652.tif 000003
【図３】
0005420652.tif 000004
【図４】
0005420652.tif 000005
【図５】
0005420652.tif 000006
【図６】
0005420652.tif 000007
【図７】
0005420652.tif 000008
【図８】
0005420652.tif 000009
【図９】
0005420652.tif 000010
【図１０】
0005420652.tif 000011
【図１１】
0005420652.tif 000012
【図１２】
0005420652.tif 000013
【図１３】
0005420652.tif 000014
【図１４】
0005420652.tif 000015
【図１５】
0005420652.tif 000016
【図１６】
0005420652.tif 000017
【図１７】
0005420652.tif 000018
【図１８】
0005420652.tif 000019
【図１９】
0005420652.tif 000020
【図２０】
0005420652.tif 000021
【図２１】
0005420652.tif 000022
【図２２】
0005420652.tif 000023
【図２３】
0005420652.tif 000024
【図２４】
0005420652.tif 000025
【図２５】
0005420652.tif 000026
【図２６】
0005420652.tif 000027
【図２７】
0005420652.tif 000028
【図２８】
0005420652.tif 000029
【図２９】
0005420652.tif 000030
【図３０】
0005420652.tif 000031
【図３１】
0005420652.tif 000032
【図３２】
0005420652.tif 000033
【図３３】
0005420652.tif 000034
【図３４】
0005420652.tif 000035
【図３５】
0005420652.tif 000036
【図３６】
0005420652.tif 000037